【手続補正書】
【提出日】平成24年10月2日(2012.10.2)
【手続補正１】
【補正対象書類名】特許請求の範囲
【補正対象項目名】全文
【補正方法】変更
【補正の内容】
【特許請求の範囲】
【請求項１】
室内に据え付けられる空気調和機において、
前記空気調和機の運転を制御するとともに、前記空気調和機の運転停止中に、前記空気調和機の運転を行う前の室内の状態を示す第１情報と前記空気調和機の運転を行った場合の予測の電気代を示す第２情報との少なくともいずれかを含む運転前情報を送信する制御部と、
情報を表示するための表示部を具備し、前記運転前情報を前記制御部から受信して前記表示部に表示する遠隔制御装置と
を備えることを特徴とする空気調和機。
【請求項２】
前記遠隔制御装置は、前記空気調和機の運転停止中に、ユーザによる所定の操作があった場合、前記運転前情報を要求する信号を前記制御部に送信することを特徴とする請求項１の空気調和機。
【請求項３】
前記所定の操作は、前記遠隔制御装置を持ち上げる動作であることを特徴とする請求項２の空気調和機。
【請求項４】
前記遠隔制御装置は、前記運転前情報を前記表示部に表示中に、ユーザによる所定の操作があった場合、前記空気調和機の運転開始を要求する信号を前記制御部に送信することを特徴とする請求項１の空気調和機。
【請求項５】
前記運転前情報は、前記第１情報と前記第２情報との両方を含む情報であり、
前記遠隔制御装置は、前記第１情報と前記第２情報とのうち一方を前記表示部に表示中に、ユーザによる所定の操作があった場合、他方を前記表示部に表示することを特徴とする請求項１の空気調和機。
【請求項６】
前記所定の操作は、前記遠隔制御装置を振る動作と前記遠隔制御装置を回す動作とのいずれかであることを特徴とする請求項４又は５の空気調和機。
【請求項７】
前記制御部は、前記空気調和機の運転停止中に、前記空気調和機の複数の運転モードのそれぞれについて、前記空気調和機の運転を行った場合の予測の電気代を計算し、計算した電気代を示す情報を運転モードごとの前記第２情報として生成することを特徴とする請求項１の空気調和機。
【請求項８】
前記遠隔制御装置は、運転モードごとの前記第２情報を前記表示部に表示中に、前記複数の運転モードのうち任意の運転モードの前記第２情報を選択する操作をユーザによる所定の操作として受け付け、前記第２情報が選択された運転モードでの前記空気調和機の運転開始を要求する信号を前記制御部に送信することを特徴とする請求項７の空気調和機。
【請求項９】
前記所定の操作は、前記遠隔制御装置を振る動作と前記遠隔制御装置を回す動作との少なくともいずれかの組み合わせであることを特徴とする請求項８の空気調和機。
【請求項１０】
前記遠隔制御装置は、加速度センサを具備し、前記所定の操作を前記加速度センサにより検出することを特徴とする請求項２から６のいずれか又は８又は９の空気調和機。
【請求項１１】
前記遠隔制御装置は、先端に前記加速度センサを具備することを特徴とする請求項１０の空気調和機。
【請求項１２】
前記遠隔制御装置は、前記表示部に対して前記加速度センサと逆側に操作ボタン群を具備することを特徴とする請求項１０又は１１の空気調和機。
【請求項１３】
前記遠隔制御装置は、無線モジュールを具備し、前記運転前情報を前記無線モジュールにより受信することを特徴とする請求項１０から１２のいずれかの空気調和機。
【請求項１４】
前記遠隔制御装置は、後端に前記無線モジュールを具備することを特徴とする請求項１３の空気調和機。
【請求項１５】
前記制御部は、前記空気調和機の運転停止中に、前記空気調和機の過去の消費電力量に基づいて、前記空気調和機の運転を行った場合の時間当たりの消費電力量を予測し、予測した消費電力量から、前記空気調和機の運転を行った場合の予測の電気代を計算し、計算した電気代を示す情報を前記第２情報として生成することを特徴とする請求項１から１４のいずれかの空気調和機。
【請求項１６】
前記制御部は、前記空気調和機の運転停止中に、前記空気調和機の運転を行う前の室内の状態を検知し、検知した状態とユーザにより設定された状態との差に応じて、予測した消費電力量を補正し、補正した消費電力量から、前記空気調和機の運転を行った場合の予測の電気代を計算することを特徴とする請求項１５の空気調和機。
【請求項１７】
前記制御部は、前記空気調和機の運転停止中に、所定の時間ごとに室内の状態を検知し、検知した状態を示すデータを蓄積し、蓄積したデータの移動平均を計算し、計算した移動平均を示す情報を前記第１情報として生成することを特徴とする請求項１から１６のいずれかの空気調和機。
【請求項１８】
前記空気調和機は、さらに、
前記空気調和機の運転中に、所定の方向に動いて室内の複数のエリアの熱画像データを取得する赤外線センサ
を備え、
前記制御部は、前記空気調和機の運転停止中に、前記赤外線センサを停止して前記複数のエリアのうち特定のエリアのみの熱画像データを前記赤外線センサに取得させ、当該熱画像データから前記特定のエリアの温度を検知し、検知した温度を示す情報を前記第１情報として生成することを特徴とする請求項１から１７のいずれかの空気調和機。
【請求項１９】
前記制御部は、前記空気調和機の運転停止中に、室内のユーザの体感温度を検知し、検知した体感温度を示す情報を前記第１情報として生成し、
前記遠隔制御装置は、前記第１情報が示す体感温度とユーザにより設定された体感温度との差を示すインジケータを前記表示部に表示することを特徴とする請求項１から１８のいずれかの空気調和機。
【請求項２０】
前記制御部は、前記空気調和機の運転停止中に、室内の温度と湿度と床からの輻射温度との少なくともいずれかを検知し、検知した温度と湿度と床からの輻射温度との少なくともいずれかを示す情報を前記第１情報として生成することを特徴とする請求項１から１９のいずれかの空気調和機。
【請求項２１】
室内に据え付けられる空気調和機の運転停止中に、前記空気調和機の運転を行う前の室内の状態を示す第１情報と前記空気調和機の運転を行った場合の予測の電気代を示す第２情報との少なくともいずれかを含む運転前情報を受信する通信部と、
前記通信部により受信された前記運転前情報を表示する表示部と
を具備することを特徴とする空気調和機の遠隔制御装置。
【手続補正２】
【補正対象書類名】明細書
【補正対象項目名】発明の名称
【補正方法】変更
【補正の内容】
【発明の名称】空気調和機及び空気調和機の遠隔制御装置
【手続補正３】
【補正対象書類名】明細書
【補正対象項目名】０００９
【補正方法】変更
【補正の内容】
【０００９】
この発明は、運転前情報（例えば、運転前の室内環境情報、燃費（未来電気代）情報）を表示可能な空気調和機を提供することを目的とする。
【手続補正４】
【補正対象書類名】明細書
【補正対象項目名】００１０
【補正方法】変更
【補正の内容】
【００１０】
この発明に係る空気調和機は、
室内に据え付けられる空気調和機であり、
前記空気調和機の運転を制御するとともに、前記空気調和機の運転停止中に、前記空気調和機の運転を行う前の室内の状態を示す第１情報と前記空気調和機の運転を行った場合の予測の電気代を示す第２情報との少なくともいずれかを含む運転前情報を送信する制御部と、
情報を表示するための表示部を具備し、前記運転前情報を前記制御部から受信して前記表示部に表示する遠隔制御装置とを備える。
【手続補正５】
【補正対象書類名】明細書
【補正対象項目名】００１１
【補正方法】変更
【補正の内容】
【００１１】
この発明によれば、運転前情報（例えば、運転前の室内環境情報、燃費（未来電気代）情報）を表示可能な空気調和機を提供することができる。